(57)【要約】【課題】  光ディスク記録面からのレーザー光乱反射の問題を光ピックアップ側で解決し、光ディスクの音質・画質を向上することを目的とする。【解決手段】  この発明の光ディスク記録再生装置は、光ディスクからのレーザー光乱反射による不要なノイズ信号を抑制し且つ記録再生に必要なレーザー光に影響を与えない為、光を吸収する表面仕上げをした円形又はスリット状の有孔遮蔽板を、光ピックアップメカとは機構的に独立させて取付け、且つトレイ式光ディスク記録再生装置に於いてはシャーシ及びサブシャーシ等に新たに清掃口を設け、既成のカメラ用レンズクリーナーによる清掃を可能にしたことを特徴とする。【選択図】図１１
0003137338.tif 000002
【実用新案登録請求の範囲】
【請求項１】
光ディスク記録面からのレーザー光乱反射による不要なノイズ信号を抑制し且つ記録再生に必要なレーザー光に影響を与えないように、光を吸収する表面仕上げをした円形又はスリット状の有孔遮蔽板を、光ピックアップメカとは機構的に独立させて取付けた、高音質、高画質を特徴とする光ピックアップ装置。
【請求項２】
光ディスク記録面からのレーザー光乱反射による不要なノイズ信号を抑制し且つ記録再生に必要なレーザー光に影響を与えないように、光を吸収する表面仕上げをした円形又はスリット状の有孔遮蔽板を、光ピックアップメカとは機構的に独立させて取付けた、高音質、高画質を特徴とする光ピックアップ装置を備え、且つ光ピックアップの対物レンズ清掃口を設けたトレイ式光ディスク記録再生装置。
【考案の詳細な説明】
【技術分野】
【０００１】  この考案はＣＤ再生機、ＳＡＣＤ再生機、ＤＶＤオーディオ再生機、ＭＤ記録再生機、ＣＤ−Ｒ／ＲＷ、ＤＶＤ再生機、ＤＶＤ−ＲＡＭ、ＤＶＤ−Ｒ／ＲＷに関する考案です。
【背景技術】
【０００２】  光ディスクは耐久性に優れているが、光ピックアップのセンサーがディスクの記録面に対して無接触であるがゆえに、光ディスク記録面からのレーザー光乱反射が、音質・画質に与える影響が取沙汰され、光ディスクのエッジ処理による改善方法が考案されたが、装置が高額であり、ディスクの記録面にキズを付ける可能性もあり一般的ではない。
【考案の開示】
【考案が解決しようとする課題】
【０００３】  この考案は光ディスク記録面から発生するレーザー光乱反射の問題を、光ピックアップ側で解決することを目的とする。
【課題を解決するための手段】
【０００４】  この発明の光ディスク記録再生装置は、光ディスクからのレーザー光乱反射による不要なノイズ信号を抑制し且つ記録再生に必要なレーザー光に影響を与えない為、光を吸収する表面仕上げをした円形又はスリット状の有孔遮蔽板を、光ピックアップメカとは機構的に独立させて取付けたことにより音質・画質が向上した半面、クリーニングディスクによるレンズ清掃が不可能となったので、トレイ式光ディスク記録再生装置に於いてはシャーシ及びサブシャーシ等に新たに清掃口を設け、既成のカメラ用レンズクリーナーによる清掃を可能にしたことを特徴とする。
【考案の効果】
【０００５】  この発明の光ピックアップは光ディスクからの乱反射によるノイズ信号を、音声・映像の記録再生に必要な最小限の径に明けられた孔を有する遮蔽板によって抑制する効果があり、クリアな音質のＣＤ再生機、ＳＡＣＤ再生機、ＤＶＤオーディオ再生機、ＭＤ録音／再生機、ＣＤ−Ｒ／ＲＷ、クリアな音質・画質のＤＶＤ再生機、ＤＶＤ−ＲＡＭ、ＤＶＤ−Ｒ／ＲＷを製作することができる。
【考案を実施するための最良の形態】
【０００６】  考案を最も簡単に実施するには、既存のＣＤ及びＤＶＤ再生機等の光ピックアップに、円形又はスリット状の有孔遮蔽板を両面テープで貼ることで可能となる。孔の形状を円形かスリット状にするかは、有孔遮蔽板を光ピックアップケーシングに直接取り付けられるかどうかで決まる。遮蔽板の孔の大きさは記録再生に影響を与えない条件で、出来る限り小さな形状で作ることが肝要である。
マスプロの対象とするならば、両面テープを使って有孔遮蔽板を固定するのではなく、螺子の使用が品質管理上望ましい。
有孔遮蔽板を改造用の単体部品として製作し、既成の光ディスク記録再生装置へも適用可能とする。
トレイ式光ディスク記録再生装置の場合、通常光ピックアップの汚れはクリーニングディスクで除去するが、光ピックアップに有孔遮蔽板を貼るとこの方法が使用出来なくなるので、この問題はシャーシ及びサブシャーシに対物レンズ清掃口を明け、カメラ用のレンズクリーナーで埃を吹き飛ばすことで解決出来る。
【実施例】
【０００７】  図１で、１は有孔遮蔽板であり、２に示すように音声・映像信号の記録再生に必要な最小限の径の孔を有し、光ディスクからの乱反射による不必要なノイズ信号を抑制する。
図２は、有孔遮蔽板を光ピックアップに実装した図であり、５のケーシングに螺子を使用して固定したものである。３は光ピックアップの本体であり４の対物レンズを有する。
図３、図４は有孔遮蔽板を光ピックアップのケーシングと一体化させたものである。
図５、図６は円形の有孔遮蔽板を光ピックアップに直接取り付けた例である。
図７、図８は有孔遮蔽板を光ピックアップに直接取り付けることが出来ない場合、スリット状の有孔遮蔽板を光ディスク記録再生装置のケーシング側に取り付けた例を示す。
図９、図１０は、遮蔽板を単体の部品として作り、既存の光ピックアップに両面テープを使用して取り付けたことを示す。
図１１は有孔遮蔽板付の光ピックアップを有した光ディスク記録再生装置のシャーシ及びサブシャーシに対物レンズ清掃口を設け、既成レンズクリーナーによる光ピックアップの清掃を容易に行えるようにしたものである。
【産業上の利用可能性】
【０００８】  ＡＶ機器の性能を上げることは、一般家庭への機器の購買層を広げ且つ低迷しているディスクの拡販にも繋がる。
又この改善効果は放送局やレコーディングスタジオ等にも波及することで、音楽文化にも貢献できるものである。
【図面の簡単な説明】
【０００９】
【図１】円形の有孔遮蔽板を螺子で固定した光ピックアップを示した平面図である。
【図２】円形の有孔遮蔽板を螺子で固定した光ピックアップを示した断面図である。
【図３】円形の有孔遮蔽板と光ピックアップのケーシングとの一体化を示した平面図である。
【図４】円形の有孔遮蔽板と光ピックアップのケーシングとの一体化を示した断面図である。
【図５】円形の有孔遮蔽板を光ピックアップのケーシングに直接取り付けた平面図である。
【図６】円形の有孔遮蔽板を光ピックアップのケーシングに直接取り付けた断面図である。
【図７】スリット状の有孔遮蔽板を光ディスク記録再生装置のケーシング側に取り付けた平面図である。
【図８】スリット状の有孔遮蔽板を光ディスク記録再生装置のケーシング側に取り付けた断面図である。
【図９】単体部品として作った有孔遮蔽板を、両面テープを使用して既成のピックアップに取付けたことを示した平面図である。
【図１０】単体部品として作った有孔遮蔽板を、両面テープを使用して既成のピックアップに取付けたことを示した断面図である。
【図１１】有孔遮蔽板を備えた光ディスク記録再生装置のシャーシ及びサブシャーシに対物レンズ清掃口を明け、清掃をする時は既成のレンズクリーナーを使用して行い、クリーナーの先端が対物レンズに届かない場合は延長管を用いて行う。光ディスク記録再生装置はレンズ清掃時以外には防塵蓋を閉じて置く。これらのことを示した断面図である。
【符号の説明】
【００１０】１…円形有孔遮蔽板
２…孔
３…光ピックアップメカ
４…対物レンズ
５…光ピックアップケーシング
６…螺子
７…円形有孔遮蔽板兼光ピックアップケーシング
８…ターンテーブル
９…光ディスク記録再生装置のケーシング
１０…スリット状有孔遮蔽板
１１…両面テープ
１２…サブシャーシ
１３…シャーシ
１４…対物レンズ清掃口
１５…防塵蓋
１６…既成レンズクリーナー
１７…延長管
【図１】
0003137338.tif 000003
【図２】
0003137338.tif 000004
【図３】
0003137338.tif 000005
【図４】
0003137338.tif 000006
【図５】
0003137338.tif 000007
【図６】
0003137338.tif 000008
【図７】
0003137338.tif 000009
【図８】
0003137338.tif 000010
【図９】
0003137338.tif 000011
【図１０】
0003137338.tif 000012
【図１１】
0003137338.tif 000013